(57)【要約】物体（１０，１１）に関連付けられたサービスをアクティブ化する方法は、  物体（１０，１１）にしっかり取り付けられた装置（１）のジオロケーションシステムが、位置（ＰＯＳ１）を取得するステップ（ＲＥＣ＿ＰＯＳ）と、  取得された位置（ＰＯＳ１）に基づいてアクティブ化コードを算出するステップ（ＧＥＮ＿ＣＡ１）と、  アクティブ化コードを表示するステップ（ＡＦＦ＿ＣＡ）と、  無線インタフェースを備えた電子携帯端末（Ｔ１）が、リモートエンティティ（ＳＥＲＶ１）にアクティブ化コード（ＣＡ１）を送信するステップと、  電子携帯端末（Ｔ１）が、リモートエンティティ（ＳＥＲＶ１）によって生成されたレスポンスコード（ＣＲ１）を受信するステップと、  装置（１）が、レスポンスコード（ＣＲ１）を取得するステップと、  装置（１）が、レスポンスコード（ＣＲ１）を復号するステップと、  装置（１）にしっかり取り付けられた物体（１０，１１）に関連付けられたサービスのロックを解除するコマンドを生成するステップとを含む。  【選択図】図５
2021528802.tif 000002
【特許請求の範囲】
【請求項１】
物体（１０，１１）に関連付けられたサービスをアクティブ化する方法であって、
前記物体（１０，１１）にしっかり取り付けられた装置（１）のジオロケーションシステムが、位置（ＰＯＳ１）を取得するステップ（ＲＥＣ＿ＰＯＳ）と、
取得された位置（ＰＯＳ１）に基づいてアクティブ化コード（ＧＥＮ＿ＣＡ１）を算出するステップであって、アクティブ化コード（ＣＡ１）は既定数（Ｎｍａｘ）よりも少ない数の記号を含む、ステップと、
前記装置（１）のディスプレイ（２）が、前記アクティブ化コードを表示するステップ（ＡＦＦ＿ＣＡ）と、
無線インタフェースを備えた電子携帯端末（Ｔ１）が、データネットワークからリモートエンティティ（ＳＥＲＶ１）にアクティブ化コード（ＣＡ１）を送信するステップと、
前記電子携帯端末（Ｔ１）が、前記リモートエンティティ（ＳＥＲＶ１）によって生成されたレスポンスコード（ＣＲ１）を受信するステップと、
前記装置（１）が、前記レスポンスコード（ＣＲ１）を取得するステップと、
前記装置（１）が、演算装置及びメモリを用いて前記レスポンスコード（ＣＲ１）を復号するステップと、
前記装置（１）にしっかり取り付けられた前記物体（１０，１１）に関連付けられたサービスのロックを解除するコマンドを生成するステップと
を含む、方法。
【請求項２】
前記方法は、取得した前記位置（ＰＯＳ１）を切り捨て、所定の位置決め精度で前記位置（ＰＯＳ１）を近似することによって得られた第２の位置（ＰＯＳ２）を処理するステップを含むことを特徴とする、請求項１に記載の方法。
【請求項３】
アクティブ化コード（ＣＡ１）の算出により、固有の数列が生成され、
前記アクティブ化コード（ＣＡ１）は、ロスレス符号化によって圧縮されることを特徴とする、請求項１又は２に記載の方法。
【請求項４】
データネットワーク（ＮＥＴ）を介してリモートエンティティ（ＳＥＲＶ１）とデータリンクを確立する無線インタフェースを備えた電子携帯端末（Ｔ１）が、ユーザの識別子（ＩＤ１）を送信するステップを含むことを特徴とする、請求項１〜３のいずれか１項に記載の方法。
【請求項５】
前記リモートエンティティ（ＳＥＲＶ１）によって実行される、
前記リモートエンティティ（１）が、演算装置及びメモリを用いて、前記アクティブ化コード（ＣＡ１）を復号するステップと、
復号された位置と、メモリに保存され、それぞれが物体（１０，１１）の識別子に関連付けられた一組の位置とを比較するステップと、
復号された位置から既定の閾値未満の距離にある位置に関連付けられた物体の識別子を選択するステップ、及び／又は、端末インタフェース（Ｔ１）によって選択された物体の識別子が、復号された位置から既定の閾値未満の距離にある位置に関連付けられているか否か確認するステップと、
前記物体の識別子及び／又は前記アクティブ化コード（ＣＡ１）からレスポンスコード（ＣＲ１）を生成するステップと
を含むことを特徴とする、請求項１〜４のいずれか１項に記載の方法。
【請求項６】
前記リモートエンティティ（ＳＥＲＶ１）によって実行される、
受信したユーザの識別子と、メモリに保存された一組の識別子とを比較するステップと、
前記一組の識別子の中に前記ユーザの識別子が存在するか否か確認するステップと、
レスポンスコード（ＣＲ１）を生成するステップを確認するステップと、
を含むことを特徴とする、請求項４又は５に記載の方法。
【請求項７】
装置（１）を前記物体（１０，１１）に固定するステップを含むことを特徴とする、請求項１〜６のいずれか１項に記載の方法。
【請求項８】
サービスが有効である間、位置を取得する処理を、一定の間隔で複数回実行することを特徴とする、請求項１〜７のいずれか１項に記載の方法。
【請求項９】
前記既定数（Ｎｍａｘ）は７であることを特徴とする、請求項１〜８のいずれか１項に記載の方法。
【請求項１０】
前記装置（１）による少なくとも１つのレスポンスコードの取得は、前記装置（１）の入力インタフェースを介して行われることを特徴とする、請求項１〜９のいずれか１項に記載の方法。
【請求項１１】
前記物体（１０）は消火栓であり、
前記装置（１）は、アクセスバルブと、画面（２）と、入力インタフェース（３）とを備えることを特徴とする、請求項１〜１０のいずれか１項に記載の方法。
【請求項１２】
前記ロックを解除するコマンドにより、供給された流量を計測するための水量計の読み取りを開始することを特徴とする、請求項１１に記載の方法。
【請求項１３】
前記ロックを解除するコマンドにより、第１の電磁弁の開閉を開始することを特徴とする、請求項１１又は１２に記載の方法。
【請求項１４】
少なくとも１つのマイクロタービン（４３）が、消火栓（１０）の水流（２２）からエネルギの一部を回収するように構成されることを特徴とする、請求項１０又は１１に記載の方法。
【請求項１５】
前記物体（１１）は自転車であり、
前記装置（１）は、前記自転車にしっかり取り付けられたロックと、画面（２）と、入力インタフェース（３）とを備えることを特徴とする、請求項１〜１０のいずれか１項に記載の方法。
【請求項１６】
消火栓（１０）のアクセス装置（１）であって、
前記アクセス装置（１）を前記消火栓（１０）にしっかり取り付ける留め具と、
取り込まれた水を装置（１）の出口（５）に送る水圧ユニット（４）と、
水の使用量を計測する水量計（４１）と、
前記アクセス装置（１）の位置を伝える信号であって、位置システム又はジオロケーションシステムから出力された信号を取得するインタフェースと、
前記アクセス装置（１）の位置を符号化してアクティブ化コード（ＣＡ１）を生成する演算装置であって、前記アクティブ化コードは数列と限られた数の記号を含む、演算装置と、
前記アクティブ化コード（ＣＡ１）を表示するディスプレイと、
前記アクセス装置の部品に電力を供給する少なくとも１つのバッテリと、
前記消火栓に関連付けられたサービスをアクティブ化し、又はアクティブ化しないために、レスポンスコード（ＣＲ１）を定義するユーザインタフェースと
を備える、アクセス装置。
【請求項１７】
受信したコマンドの値に応じて開閉する第１の電磁弁を少なくとも備えることを特徴とする、請求項１６に記載の消火栓のアクセス装置（１）。
【請求項１８】
自転車（１１）のアクセス装置（１）であって、
前記アクセス装置（１）を前記自転車（１１）にしっかり取り付けるための留め具と、
前記アクセス装置（１）のコマンドによって作動し、前記自転車（１１）の乗車機能を妨げるロックと、
前記アクセス装置（１）の位置を伝える信号であって、位置システム又はジオロケーションシステムから出力された信号を取得するインタフェースと、
前記アクセス装置（１）の位置を符号化してアクティブ化コード（ＣＡ１）を生成する演算装置であって、前記アクティブ化コードは数列と限られた数の記号を含む、演算装置と、
前記アクティブ化コード（ＣＡ１）を表示するディスプレイ（２）と、
前記アクセス装置の部品に電力を供給し、前記自転車の運動エネルギを回収するシステムによって充電される少なくとも１つのバッテリと、
前記自転車（１１）に関連付けられたサービスをアクティブ化し、又はアクティブ化しないために、レスポンスコード（ＣＲ１）を定義するユーザインタフェースと
を備える、アクセス装置。
【請求項１９】
物体（１０，１１）に関連付けられたサービスを非アクティブ化する方法であって、
非アクティブ化コード（ＣＯＤＥ＿ＣＯＮＳ１）を生成する処理を開始するステップと、
装置（１）のディスプレイが、前記非アクティブ化コード（ＣＯＤＥ＿ＣＯＮＳ１）を表示するステップと、
データネットワーク（ＮＥＴ）に接続される無線インタフェースを備えた電子携帯端末（Ｔ１）が、水の使用量（ＣＯＮＳ１）を含む非アクティブ化コードを送信するステップと、
前記電子携帯端末（Ｔ１）が、リモートエンティティ（ＳＥＲＶ１）によって生成された第２のレスポンスコード（ＣＲ２）を受信するステップと、
前記第２のレスポンスコード（ＣＲ２）を取得するステップと、
前記装置（１）が、演算装置及びメモリを用いて前記第２のレスポンスコード（ＣＲ２）を復号するステップと、
前記装置（１）にしっかり取り付けられた前記物体（１０，１１）に関連付けられたサービスをロックするコマンドを生成するステップと
を含む、非アクティブ化する方法。
【請求項２０】
前記装置（１）のディスプレイが、水の使用量を表示するステップ、及び／又は
ロスレス符号化を用いて前記水の使用量を符号化して、前記非アクティブ化コード（ＣＯＤＥ＿ＣＯＮＳ１）を生成するステップ、及び／又は
前記装置（１）の入力インタフェースが、前記第２のレスポンスコード（ＣＲ２）を取得するステップを含む、請求項１９に記載の非アクティブ化する方法。
【請求項２１】
サービスのアクセスシステム（１）であって、
請求項１６〜１８のいずれか１項に記載の装置と、
請求項１〜１０のいずれか１項に記載の方法を実行するように構成された携帯端末（Ｔ１）及びリモートエンティティ（ＳＥＲＶ１）と
を含むことを特徴とする、アクセスシステム。
【発明の詳細な説明】
【技術分野】
【０００１】
本発明の分野は、機器を遠隔でアクティブ化及び非アクティブ化する方法の分野に関し、機器の使用を許可し又は許可せず、サービスにアクセスし又はアクセスせず、及び／又は、機器の使用を監視する。また、本発明の分野は、物体の位置を制御することによるアクセスを確認する方法に関する。特に、本発明の方法は、消火栓によって供給された水にアクセスする装置に関する。また、本発明は、ユーザのコミュニティにアクセス可能な自転車用のアクセス装置にも適用される。
【背景技術】
【０００２】
現在、位置をパスワードとして使用し、又はパスワードの生成に関係する要素として使用して、所定のサービスにアクセスする必要性が存在する。しかしながら、所定のサービスにアクセスするための現在の解決手段は、電気エネルギを消費する解決手段に基づくものであり、完全に自立したサービスを提供することができない。
【発明の概要】
【発明が解決しようとする課題】
【０００３】
例えば、一時的な利用者への水の供給は、監視の可能性が制限されている。現在、パリでは、作業現場等への一時的な水の供給は「ドローイングキット」又は「キット」と呼ばれる物理的な装置を用いて行われている。このようなキットは、市の非飲用水システム及び/又は飲用水システム、配管、読み取り可能な水量計、及び遮断弁に接続された消火栓に固定するための装置を含む。したがって、ドローイングキットは、任意の消火栓に接続され、取水するために使用される。しかしながら、このような現在のキットの解決手段には、いくつかの制限がある。
【０００４】
まず、それは、いずれかの消火栓に接続されて、ネットワークオペレータが制御することなく、ネットワークから取水される可能性がある。また、それは、ネットワークオペレータの許可なく、或る消火栓から別の消火栓へ移動できるため、消防士が、本来は自由に使用可能な「ＦＨ」と呼ばれる消火栓に急いで接続せざるを得ないときには危険であり、実際には許可なく占有されている。
【０００５】
もう一つの欠点は、ユーザが、１つのキットを２つの作業現場で維持できるため、長い間使用されず、その結果、この期間、水の使用について請求できない。
【０００６】
欠点により、キットに取り付けられたメータは、水の使用量を計測できない可能性があり、その結果、分配ネットワークのオペレータに収入の損失が生じる。ワークショップに返却されるか、又は、技術者がユーザの現場を尋ねて初めて、このことが明らかになる。
【０００７】
水の使用量の読み取りは視覚的に行われるため、オペレータはユーザの現場を尋ねる必要があり、又はキットをオペレータに物理的に返却する必要がある。この過程には、以下の欠点、すなわち、
・メータの指標を読み間違えるリスク、
・専用の請求システムに指標を入力する際に間違えるリスク、
・付加価値の低い行為、すなわち、水量計の指標を読み取るためにオペレータが移動すること、
・冬場や高温時に作業現場に移動することの困難性がある。
【０００８】
今日、例えば、遠隔制御アクセスを実現するために、安全にサービスへ電子的にアクセスすることを目的とする解決手段がある。しかしながら、このような制御を行うことは、必然的に、接続装置へのアクセスをアクティブ化又は非アクティブ化する部品の動作に必要なエネルギを局所的に管理することになるため、これらの解決手段は、魅力的なものではない。
【課題を解決するための手段】
【０００９】
以下に詳細に説明する本発明により、上記欠点を解決することができる。
【００１０】
第１の態様では、物体に関連付けられたサービスをアクティブ化する方法は、
前記物件にしっかり取り付けられた装置のジオロケーションシステムが、位置を取得するステップと、
取得した位置に基づいて、既定数よりも少ない数の記号（symbol）を含むアクティブ化コードを算出するステップと、
装置のディスプレイが、アクティブ化コードを表示するステップと、
無線インタフェースを備えた電子携帯端末が、データネットワークからリモートエンティティへアクティブ化コードを送信するステップと、
電子携帯端末が、リモートエンティティによって生成されたレスポンスコードを受信するステップと、
装置が、前記レスポンスコードを取得するステップと、
装置が、演算装置及びメモリを用いてレスポンスコードを復号するステップと、
前記装置にしっかり取り付けられた物体に関連付けられたサービスのロックを解除するコマンドを生成するステップとを含む。
【００１１】
利点の一つは、消火栓に安全にアクセスし、この消火栓の識別を制御して、特に水の使用量を管理し、割り当てることである。
【００１２】
一例では、端末によって生成され、及び／又は端末のメモリに保存されたペイロードが、アクティブ化コードと共にリモートエンティティに送信される。ペイロードは、署名、端末の識別子、ユーザの識別子、又は任意の他の種類の識別子、日付、鍵、第三者のシステムからのペイロード、及び、一般にリモートエンティティによって利用され得る任意の他の種類のデータとすることができる。アクティブ化コード及びペイロードは、例えば、共通のメッセージに組み込まれ、個別のデータフィールドを占有する。メッセージは、既定のアルゴリズムに従って符号化及び／又は暗号化され、ソフトウェアによって端末に実装される。一実施形態では、アクティブ化コードが送信されると、ユーザによるアクションを要することなく、ペイロードが自動的に生成される。
【００１３】
一実施形態では、本方法は、取得された位置を切り捨て、所定の位置決め精度に従って位置を近似することによって得られる第２の位置を処理するステップを含む。
【００１４】
利点の一つは、短いアクティブ化コードを定義して、入力エラーを減らすことである。また、短いコードにより、アクティブ化を容易に利用できる。
【００１５】
一実施形態では、アクティブ化コードを算出することにより、固有の数列が生成され、アクティブ化コードは、ロスレス符号化によって圧縮される。関心の一つは、特に、ユーザが再入力せざるを得ないときに、端末インタフェースに入力する数を減らすことである。
【００１６】
一実施形態では、本方法は、データネットワークを介してリモートエンティティとデータリンクを確立する無線インタフェースを備えた電子携帯端末が、ユーザの識別子を送信するステップを含む。
【００１７】
一実施形態では、本方法は、リモートエンティティによって実行される以下のステップ、すなわち、
リモートエンティティの演算装置及びメモリが、アクティブ化コードを復号するステップと、
復号された位置と、メモリに保存され、それぞれが物体の識別子に関連付けられている一組の位置とを比較するステップと、
復号された位置から既定の閾値未満の距離にある位置に関連付けられた物体の識別子を選択するステップ、及び／又は、端末インタフェースによって選択された物体の識別子が、復号された位置から既定の閾値未満の距離にある位置に関連付けられているか確認するステップと、
物体の識別子及び／又はアクティブ化コードからレスポンスコードを生成するステップとを含む。
【００１８】
利点の一つは、安全なリモート制御を可能にすることである。利点の一つは、許可されていない第三者が、アクティブ化コードを制御することなく、装置のアクティブ化にアクセスできないことである。
【００１９】
一実施形態では、本方法は、リモートエンティティによって実行される以下のステップ、すなわち、
受信したユーザの識別子と、メモリに保存された一組の識別子とを比較するステップと、
一組の識別子の中にユーザの識別子が存在するか確認するステップと、
レスポンスコードを生成するステップの妥当性を確認するステップとを含む。
【００２０】
一実施形態では、リモートエンティティは、消火栓の識別子の送信時に、消火栓の識別子を確認する。別の例では、例えば、端末が識別子をスキャンしてリモートエンティティに送信した場合、リモートサーバは、本発明の装置の識別を確認する。
【００２１】
一実施形態では、本方法は、装置を前記物体に固定するステップを含む。利点の一つは、物体と本発明の装置との関連付けを確実にし、前記物体のデータベースにおいて、本発明の装置の位置の特定（ジオロケーション）と、遠隔の物体の識別との間のエラーのリスクを低減することである。
【００２２】
一実施形態では、本方法は、サービスがアクティブ化されている間、一定の間隔で位置を取得する処理を複数回実行する。利点の一つは、所定の使用期間において装置の使用を確保することである。特に、窃盗や盗難を防ぐことができる。
【００２３】
一実施形態では、既定数は７である。関心の一つは、アクティブ化コードの入力時に間違えるリスクを低減することである。
【００２４】
一実施形態では、装置による少なくとも１つのレスポンスコードの取得は、装置の入力インタフェースを介して行われる。利点の一つは、アプリケーションを自律型にすることであり、本発明の装置に関係なく使用できることである。
【００２５】
一実施形態では、物体は消火栓であり、装置は、アクセスバルブと、画面と、入力インタフェースとを備える。
【００２６】
一実施形態では、ロック解除コマンドにより、水量計の読み取りが開始し、供給された流量が計測される。利点の一つは、消火栓による使用量を追跡できることであり、特に、使用量に関する正確な請求書を生成することである。別の利点は、水へのアクセスを遮断せず、読み取りだけを停止することである。これは、例えば、緊急時等において、消火栓の別の利用を防ぐためである。
【００２７】
一実施形態では、ロック解除コマンドにより、第１の電磁弁が開閉する。利点の一つは、制御対象の電磁弁が、装置１に接続され、消火栓に接続されないことである。これにより、緊急時に消火栓へのアクセスを妨げることなく、制御を行うことができる。
【００２８】
一実施形態では、少なくとも１つのマイクロタービンが、消火栓の水流からエネルギの一部を回収するように構成される。利点の一つは、本発明の装置をエネルギ自律型にすることである。本発明の装置は、水流から得たエネルギに基づいて動作する。
【００２９】
一実施形態では、物体は自転車であり、装置は、自転車にしっかり取り付けられたロックと、画面と、入力インタフェースとを備える。
【００３０】
別の態様では、本発明は、消火栓のアクセス装置に関し、アクセス装置は、
前記アクセス装置を前記消火栓にしっかり取り付けるための留め具と、
取り込まれた水を装置の出口に送るための水圧ユニットと、
水の使用量を計測する水量計と、
前記装置の位置を伝える信号であって、位置システム又はジオロケーションシステムから出力された信号を取得するインタフェースと、
装置の位置を符号化して、限られた数の記号を含む数字列を含むアクティブ化コードを生成する演算装置と、
アクティブ化コードを表示するディスプレイと、
前記装置の部品に電力を供給する少なくとも１つのバッテリと、
消火栓に関連付けられたサービスをアクティブ化し、又はアクティブ化しないために、レスポンスコードを定義するユーザインタフェースとを備える。
【００３１】
一実施形態では、消火栓のアクセス装置は、受信したコマンドの値に従って開閉する少なくとも１つの第１の電磁弁を備える。
【００３２】
別の態様では、本発明は、自転車用のアクセス装置に関し、アクセス装置は、
前記アクセス装置を自転車にしっかり取り付けるための留め具と、
装置からのコマンドによって自転車の乗車機能を遮断するロックと、
前記装置の位置を伝える信号であって、位置システム又はジオロケーションシステムから出力されたインタフェースと、
装置の位置を符号化して、限られた数の記号を含む数列を含むアクティブ化コードを生成する演算装置と、
アクティブ化コードを表示するディスプレイと、
前記装置の部品に電力を供給する少なくとも１つのバッテリであって、自転車の運動エネルギを回収するシステムによって充電されるバッテリと、
自転車に関連付けられたサービスをアクティブ化し、又はアクティブ化しないために、レスポンスコードを定義するユーザインタフェースとを備える。
【００３３】
別の態様では、本発明は、物体に関連付けられたサービスを非アクティブ化する方法であって、
非アクティブ化コードを生成する処理を開始するステップと、
装置のディスプレイが非アクティブ化コードを表示するステップと、
データネットワークに接続する無線インタフェースを備えた電子携帯端末が、水の使用量を含む非アクティブ化コードを送信するステップと、
電子携帯端末が、リモートエンティティによって生成された第２のレスポンスコードを受信するステップと、
前記第２のレスポンスコードを取得するステップと、
装置が、演算装置及びメモリを用いてレスポンスコードを復号するステップと、
前記装置にしっかり取り付けられた物体に関連付けられたサービスをロックするコマンドを生成するステップとを含む。
【００３４】
一例では、端末によって生成され、及び／又は端末のメモリに保存されたペイロードが、非アクティブ化コードと共にリモートエンティティに送信される。ペイロードは、署名、端末の識別子、ユーザの識別子、又は任意の他の種類の識別子、日付、鍵、第三者のシステムからのペイロード、及び、一般にリモートエンティティによって利用され得る任意の他の種類のデータとすることができる。非アクティブ化コード及びペイロードは、例えば、共通のメッセージに組み込まれ、個別のデータフィールドを占有する。メッセージは、既定のアルゴリズムに従って符号化及び／又は暗号化され、ソフトウェアによって端末に実装される。一実施形態では、非アクティブ化コードが送信されると、ユーザによるアクションを要することなく、ペイロードが自動的に生成される。
【図面の簡単な説明】
【００３５】
本発明の更なる特徴及び利点は、添付図面を参照して、以下の詳細な説明から明らかになるであろう。
【図１】本発明の装置の一実施形態を示す。
【図２】本発明の装置の水圧ユニットの例示的な一実施形態を示す。
【図３】本発明のアクティブ化する方法の一実施形態のステップを示す。
【図４】本発明の非アクティブ化する方法の一実施形態のステップを示す。
【図５】本発明のシステムの一実施形態を示しており、当該実施形態では、装置が消火栓にアクセスする装置である。
【図６】本発明のシステムの一実施形態を示しており、当該実施形態では、装置がセルフサービス型の自転車にアクセスする装置である。
【発明を実施するための形態】
【００３６】
以下の説明では、消火栓とは、公共スペース等のオープンスペースにおいてアクセス可能な取水口又は給水ポイントを意味する。これは、歩道、庭園、広場、道路、港、又は人がアクセス可能な任意の他の場所である。本明細書では、消火栓は、取水口又は消火栓、ポスト型消火栓、ピラー型消火栓、又はファイヤプラグ等の様々な用語によって参照され得る。
【００３７】
以下の説明では、消火栓１０と協働するように構成された装置等、本発明の装置の例示的な一実施形態について特に詳細に説明する。さらに、物体のサービスをアクティブ化する例示的な一実施形態について詳細に説明し、特に、物体が、水及び使用量メータへのアクセスのサービスに関連する消火栓１０である場合について説明する。
【００３８】
他の例では、本発明の装置１は、自転車用のアクセス装置であり、物体は自転車１１である。
【００３９】
したがって、本発明は、物体１０，１１に応じて異なる方法で構成及び配置可能な装置１を対象とする。また、本発明の方法は、以下に詳細に説明する異なる実施形態を含む。
【００４０】
図１は、本発明の装置１の例示的な一実施形態を示す。一実施形態では、装置１は、消火栓１０に接続されるように構成される。それは、装置１と消火栓１０の水出口３０との接触状態を維持可能な留め具８を備える。この目的のために、留め具８は、円筒形とすることができ、また、消火栓１０の水出口３０に留め具を固定するねじ又は保持ガイドを備えることができる。留め具８は、取り込まれた大量の水を圧力によって出口５に送ることが可能な水圧ユニット４まで延在する。
【００４１】
図１に示す本発明の装置１の例示的な事例は、特に、地面に接続する垂直な水出口に適応する。関連する消火栓１０の種類に応じて、留め具８は、他の構成に応じて適応及び構成することができる。別の実施形態では、アダプタ装置（図示しない）を装置１に組み合わせて、所定の消火栓の出口から取得した水を、装置１の入口８に送ることができる。
【００４２】
例示的な一実施形態では、装置１は、種々の部品、特に水圧部品及び電子部品を保護するためのフレーム１５を備える。
【００４３】
電子部品
一実施形態では、装置１は、ユーザに通知するコマンド、アクティブ化コード、レスポンスコード又は他の任意の情報の状態を表示する画面２を備える。
【００４４】
図１に示す例では、ユーザは、リモートサーバが送信して携帯端末Ｔ１が受信したレスポンスコードＣＲ１，ＣＲ２を、数字キーパッド３を用いて入力できる。装置１に送信される他の情報も、ユーザが利用可能なキーパッドを用いて送信することができる。
【００４５】
一実施形態では、数字キーパッド３には、接触検知型の数字キー、触覚型の数字キー、又は押しボタン型の機械的なキーを備える数字キーが含まれる。例示的な一実施形態では、ＯＮ／ＯＦＦボタン又はスイッチ９は、ユーザが利用可能であり、ＧＰＳ位置を取得するためのアクティブ化ボタン９'も利用可能である。一実施形態では、ボタン９'は、フレーム１５の内側のアクセス手段を用いずにユーザが利用することができない。後者の場合、ボタン９は、例えば、フレーム１５の内側に配置され得る。後者の場合、ユーザに装置１が渡された場合、又は装置１がオンになった場合、アクティブ化の前にスイッチがオンにされる。一実施形態では、ボタン９及び９'を、１つのボタン／スイッチに集約することができる。後者の場合、装置１の電源がオンにされた場合、装置１が、自動的にＧＰＳ位置の検索を実行する。
【００４６】
一実施形態では、本発明の装置１は、少なくとも１つのジオロケーション信号を受信するアンテナ６を備える。一例では、アンテナはＧＰＳチップに組み込むことができる。この信号は、位置決め情報を取得するために、１以上の衛星ＳＡＴ、ＧＳＭ、３Ｇセル若しくは４Ｇセル、又は、ＷＩＦＩネットワーク等の無線データネットワークから送られる。この目的のために、装置１は、位置を取得し、この位置を処理して所定のフォーマットでメモリに保存する手段を備える。
【００４７】
装置１は、ジオロケーションデータを処理して当該データを演算する電子部品を含む。これらの部品のうち、データに対して最小限の演算処理を行うために、少なくとも演算装置及びメモリが必要である。本発明の異なる実施形態では、マイクロプロセッサ、マイクロコントローラ、ＦＰＧＡ、及び任意の他の電子部品を備えた電子ボードを、本発明の異なる実施形態において実装できる。
【００４８】
一例では、本発明の装置１は、電子ボード等の電子媒体において実行可能なソフトウェアレイヤを含む。ソフトウェアレイヤは、例えば、コンピュータプログラム、又は協働するように構成された一組のソフトウェア機能であり、本発明の装置１が生成したデータ又は受信したデータを処理する。
【００４９】
ソフトウェアレイヤによって処理される機能について、本発明のアクティブ化する方法及び非アクティブ化する方法の異なる実装に関連して説明する。
【００５０】
水圧ユニット
図１の例では、装置１はさらに、消火栓１０から取得した水を出口５に送ることが可能な水圧ユニット４を備え、出口５は、出て行く水流２１を導くことが所望される。
【００５１】
水圧ユニット４は、パイプ、バルブ、接続部、ときには分配器、圧力調整部品、分配された液体の流れを制御し又はその向きを変える部品等の種々の水圧部品を含む。
【００５２】
一実施形態では、水圧ユニット４は、Ｃｗａｔｅｒと記された水量計４１を備える。水量計４１は、設備による水の使用量を計測又は評価するために使用される。このような水量計４１を図２に示す。異なる実施形態では、水量計４１は、速度計又はタービン流量計、容積計又は熱量計である。水量計４１は、流量計でもよい。
【００５３】
このような水量計４１は、水圧ユニット４の入口８又は水圧ユニット４の出口５に配置できる。水の使用量を適切に評価するために、水量計Ｃｗａｔｅｒは、できるだけ水圧ユニット４の入口８の近くに配置するのが有利である。
【００５４】
一実施形態では、水圧ユニット４は、一組のマイクロタービンμＴｕｒ等のエネルギ回収装置を備える。マイクロタービンμＴｕｒは、水圧ユニット４内の水流によって生成された運動エネルギを回収するように配置される。そして、マイクロタービン４２は、運動エネルギを電気エネルギに変換する。次いで、電気エネルギは、装置１内の少なくとも１つのバッテリに蓄積される。そして、バッテリは、使用される度に充電される。一実施形態では、バッテリは、ブースターバッテリを備えた一般的な電源に組み込むことができ、ブースターバッテリは、マイクロタービン４２によって定期的に充電され、バッテリの完全な放電が補償される。これは、装置１が長期間使用されていない場合である。一実施形態では、バッテリ及びブースターバッテリは、同じバッテリである。
【００５５】
一実施形態では、バッテリは、装置１の筐体内に配置される。そして、バッテリ（図示せず）は、装置１の異なる部品、例えば、ジオロケーションシステム、画面、様々なセンサから取得した位置、使用量等のデータを処理する電子部品等の電力を分配できる。
【００５６】
さらに、バッテリは、電磁弁や開閉バルブ等の機械的な部品を動作させ又は停止することができる。
【００５７】
一実施形態では、水圧ユニット４は、ＥＶと記された少なくとも１つの電磁弁４３を備える。電磁弁４３は、装置１により配水の開閉を制御する。そして、装置１は、配水アクセスのサービスをアクティブ化又は非アクティブ化する装置として動作する。電磁弁４３は、個別制御又はデジタル制御によって動作できる。「個別」とは、この駆動コマンド専用の電気的な接続を意味する。例えば、それは、物理的な電気分岐である。一実施形態では、電磁弁４３は、一定量の水を通過させるように構成される。この後者の実施形態では、供給された流量２１は、装置１が受信したレスポンスコードに応じてサービスに関連付けることができる。本方法により、特定の用途に割り当てられる流量を制限できる。
【００５８】
一実施形態では、水圧ユニット４は、フレーム１５にしっかり取り付けることができる貫通型の出口５を含む。この目的のために、留め具は、クランプ部品を備えたコネクタによって固定することができ、装置１の出口５にパイプを留めた状態を維持することができる。或いは、機械的な安全弁を追加し、本発明の装置１の出口５に固定してもよい。
【００５９】
図３は、本発明のアクティブ化する方法の一実施形態を示す。図４は、本発明の非アクティブ化する方法の一実施形態を示す。
【００６０】
アクティブ化する方法−消火栓の場合
本発明の方法は、装置１をアクティブ化する第１のステップＡＣＴを含む。その前に、装置の電源を入ることができる。スイッチオンボタン９がある場合、装置１の前面で直接、電源を入れることができる。代替的な一実施形態では、例えば、有線又は無線リンクによって送信された命令により、遠隔で電源を入れることができる。例えば、スマートフォン等の端末Ｔ１が接近し、装置１をアクティブにするＢｌｕｅｔｏｏｔｈ（登録商標）のウェイクアップ信号を送信することにより、装置１の電源を入れることができる。
【００６１】
アクティブ化ＡＣＴにより、ＧＰＳ信号を取得し、装置１の位置を特定する。この目的のために、装置１は、ＧＰＳ受信機を起動して、ＧＰＳ信号を受信する。そして、受信機は、ジオロケーションシステム又は測位システムから受信した位置を受信して保存するように構成される。受信機は、ＧＰＳ信号を取得するチップを備えることが有利である。
【００６２】
他の代替例では、信号は、ＧＡＬＩＬＥＯシステム等のＧＰＳシステム以外のジオロケーションシステムの信号である。別の代替例では、装置１の位置は、ＷＩＦＩ、ＧＳＭ、３Ｇ、４Ｇ、ＬＴＥプロトコルの信号から導出される。後者の場合、三角測量法又は三辺測量法を用いて、位置を導出することができる。本方法は、装置１の位置を受信するステップＲＥＣ＿ＰＯＳを含む。
【００６３】
装置１は、装置１が受信した位置の座標、緯度ＬＡＴや経度ＬＯＮ等を導出する演算装置を備える。演算装置は、予め設定した所望の精度で座標の一部のみを選択するように予め構成できる。例えば、精度が約１０メートルの場合、緯度及び経度の６桁の座標は、装置１の位置を特定するのに十分である。この場合、６桁は１０進数である。特に、受信した位置が所定の桁数を超える場合、所望の精度に応じて、座標が切り捨てられる。
【００６４】
装置１の位置は、メモリに記憶され、及び／又は直接処理されて、アクティブ化コードＣＡ１が生成される。本方法は、アクティブ化コードＣＡ１を生成するステップＧＥＮ＿ＣＡ１を含む。利点の一つは、固有の記号列を含むコードが生成されることである。さらに、別の利点は、装置１が実際に受信したＧＰＳ座標よりも短いコードを送信することであり、ユーザは、装置１とは異なる端末のインタフェースを用いて、このコードをリモートエンティティに手動で返信できる。
【００６５】
一例では、生成される記号は、数字及び文字である。別の例では、アクティブ化コードＣＡ１は、数字のみを含む。
【００６６】
アクティブ化コードＣＡ１を生成するため、緯度ＬＡＴのＮ個の数字と経度ＬＯＮのＰ個の数字を、小数点を用いずに連続して並べることにより、固有の数列を得ることができる。
【００６７】
この例では、緯度ＬＡＴ＝４７.９４４４、経度ＬＯＮ＝０２.４８８８であり、アクティブ化コードは４７９４４４０２４８８８である。これは、本方法のステップＡＦＦ＿ＣＡ１で生成され、ディスプレイＡＦＦに表示される１２桁の数列である。この場合の利点の一つは、端末Ｔ１において１回の操作でアクティブ化コードＣＡ１を入力できることである。ユーザは、装置１の画面に表示された数列をコピーする。
【００６８】
別の例では、アクティブ化コードＣＡ１をデジタル圧縮によって生成して、表示されるコードを減らし、ユーザの操作を簡単にすることができる。一実施形態では、ロスレス圧縮を行い、すなわち、生成されたアクティブ化コードＣＡ１は処理されて、取得した２つのＧＰＳ座標を復元することができる。
【００６９】
一実施形態では、アクティブ化コードＣＡ１を符号化する数の既定の最大数Ｎｍａｘは、アンテナが受信した位置を処理して得られた位置の所望の精度に依存する一方、アクティブ化コードＣＡ１のサイズを低減するために行われる所望の圧縮に依存する。
【００７０】
代替的に異なるデジタル圧縮処理を実行でき、又は、異なるデジタル圧縮処理を組み合わせて実行できる。中間数を生成し、素数に分解し、又は代数演算子を用いて、既定の圧縮比で所定の数を圧縮することができる。
【００７１】
さらに、座標を別の座標系に変換し、又は既定の地理的領域の演繹的な知識に従って座標の数を限定することにより、圧縮を実現することができる。例えば、フランスにおいて本発明の方法を実行するために、座標の整数部分は、次の範囲、すなわち、４２＜ＬＡＴ＜５１、−４＜ＬＯＮ＜８とすることができる。
【００７２】
したがって、緯度は０〜９までの一桁で符号化でき、経度ＬＯＮは０〜１２までの２桁で符号化できる。したがって、最小の桁数で座が符号化され得るスペースを考慮することにより、アクティブ化コードのサイズを低減できる。
【００７３】
したがって、本発明の方法により、受信した位置座標に対応する限られた桁数を所定の精度で生成することができる。本方法により、これらの座標を符号化し、装置１のディスプレイに表示される限られた記号列に圧縮できる。
【００７４】
例示的な一実施形態では、ディスプレイ２は、装置１の前面に組み込まれ、予め装置１をアクティブにしたユーザが直接見ることができる。ディスプレイ２は、例えば、ＯＬＥＤ、ＬＥＤ、ＬＣＤ又はプラズマ技術のデジタルディスプレイとすることができる。
【００７５】
したがって、アクティブ化コードＣＡ１が、ディスプレイ２に表示される。装置１で信号が受信され、又はコマンドがアクティブになる迄、アクティブ化コードＣＡ１を表示することができる。別の例では、アクティブ化コードＣＡ１を所定の期間表示し、装置１による電力の消費を抑制する。
【００７６】
本方法は、携帯端末Ｔ１がアクティブ化コードＣＡ１を取得するステップＡＣＱ＿ＣＡ１を含む。そして、装置１のユーザは、端末Ｔ１のキーボードを介して生成したアクティブ化コードＣＡ１を入力できる。端末Ｔ１は、スマートフォン、タブレット、又は遠隔アンテナに信号を送信可能な任意の他の電子装置とすることができる。一実施形態では、端末は接触式端末である。端末Ｔ１は、入力インタフェースを生成するソフトウェアを備える。そして、入力インタフェースは、種々の情報フィールド、例えば、ユーザの識別子、端末Ｔ１の識別子、装置１の識別子、ユーザが認証、アクティブ化又は非アクティブ化することが可能なウェブサイトのＵＲＬ、時間、バッテリレベル等を有することができる。入力インタフェースにより、例えば、数字キーを用いて、アクティブ化コードの数列を入力することができる。
【００７７】
別の実施形態では、情報の一部は、端末Ｔ１が、装置１に書かれたコードを読み取ることによって取得される。コードは、例えば、バーコード、ＱＲコード（登録商標）又はフラッシュコードとすることができる。この場合、ユーザは、装置１の見えているコードを、例えば、カメラ又はビデオカメラのレンズ等の端末Ｔ１の光学装置でスキャンする。そして、端末Ｔ１の演算手段がコードを復号し、端末Ｔ１のメモリにデータが保存される。次いで、データが処理され、リモートエンティティに送信され得る。データの入力時に入力インタフェースがコードを取得する場合、スキャンされたコードは、入力インタフェースに自動的に組み込むこともできる。
【００７８】
別の実施形態では、アクティブ化コードは、例えば、Ｂｌｕｅｔｏｏｔｈ（登録商標）等の無線インタフェースによって端末に自動的に送信される。
【００７９】
本方法は、アクティブ化コードＣＡ１をリモートエンティティＳＥＲＶ１に送信するステップＴＲＡＮＳ＿ＣＡ１を含む。アクティブ化コードＣＡ１が入力された場合、リモートエンティティＳＥＲＶ１へのアクティブ化コードＣＡ１の送信をアクティブ化するコマンドが、ユーザによって起動される。一実施形態では、エラーの発生を低減するために、本発明の方法により、確認メッセージ又は第２の確認を実施することができる。
【００８０】
アクティブ化コードＣＡ１の送信は、例えば、無線信号を、ＧＳＭビーコン、３Ｇビーコン、４Ｇビーコンへデータ符号化及び変調することによって行うことができる。
【００８１】
一実施形態では、端末Ｔ１は、一組のデータ、すなわち、
ユーザの識別子及び／又は、
端末Ｔ１の識別子及び／又は、
ユーザのプロファイルデータ及び／又は、
装置１の識別子及び／又は、
消火栓１０等の物体の識別子及び/又は、
端末Ｔ１に保存された過去の使用量に関するデータ等をリモートエンティティＳＥＲＶ１に送信する。
【００８２】
消火栓１０の識別子は、例えば、ＳＥＲＶ１又は他のサーバと同じサーバとし得るリモートサーバのデータベースから抽出された消火栓のリストから選択することができる。例示的な一実施形態では、ユーザは、端末Ｔ１の入力インタフェースを用いてアドレスを定義することができ、示されたアドレスに対応する可能性のある一組の消火栓を予め選択できる。従って、装置１が接続される消火栓の選択は、短い選択リストを用いて行うことができる。
【００８３】
本発明の方法は、リモートエンティティＳＥＲＶ１がアクティブ化コードＣＡ１を受信するステップＲＥＣ＿ＣＡ１を含む。リモートエンティティＳＥＲＶ１は、例えば、演算手段と、データを記憶する少なくとも１つのメモリとを含むサーバである。リモートエンティティは、インターネットネットワーク等のデータネットワークからアクセス可能な通信インタフェースを備える。ここで、端末Ｔ１及びサーバＳＥＲＶ１は、双方向のデータリンクで通信することができる。
【００８４】
本方法は、リモートエンティティＳＥＲＶ１が受信したアクティブ化コードＣＡ１を復号するステップを含む。ロスレス符号化により、サーバＳＥＲＶ１は、アクティブ化コードＣＡ１を復号し、装置１の位置座標を決定するように構成される。サーバＳＥＲＶ１は、消火栓１０の一組の位置を含むメモリ又は遠隔メモリと通信するインタフェースを備える。アクティブ化コードＣＡ１から復号された位置と、保存された消火栓１０に最も近い位置とを比較することにより、ユーザが水を得るために、いずれの消火栓１０に接続しようとしているか決定する。そのため、サーバＳＥＲＶ１は、受信したアクティブ化コードＣＡ１が既知の消火栓の位置に対応するか確認するステップを含む。別の実施形態では、サーバＳＥＲＶ１は、受信したアクティブ化コードＣＡ１が、サーバＳＥＲＶ１がアクセス可能なデータベース内で参照される消火栓１０の位置に対応するか確認する。さらに、一実施形態では、サーバＳＥＲＶ１は、この消火栓が、必要に応じて、ユーザが端末Ｔ１を用いて示した実際の消火栓１０であるか確認する。
【００８５】
その地理的な座標の送信により、本発明の装置１は、サーバＳＥＲＶ１により、接続が許可されていない消火栓１０からの取水を遠隔で禁止することもできる。
【００８６】
一実施形態では、サーバは、装置１を使用する前に、及び／又は消火栓１０へのアクセスのスケジュールを使用する前に、要求を受信する。この場合、サーバＳＥＲＶ１は、受信したアクティブ化要求と予め設定されたアクセス要求とを比較することができる。
【００８７】
本方法は、条件が一致する場合、レスポンスコードＣＲ１を生成するステップＧＥＮ＿ＣＲ１を含む。レスポンスコードＣＲ１は、第１のレスポンスコードＣＲ１としても表され、その表記は、第２のレスポンスコードＣＲ２に相当する非アクティブ化の間に送信されるレスポンスコードと区別される。一実施形態では、リモートエンティティＳＥＲＶ１は、例えば、ユーザの識別子を復号する。この目的のため、サーバＳＥＲＶ１は、参照対象のユーザのデータベースにアクセスできる。アクティブ化コードＣＡ１が確認され、ユーザの識別子がデータ管理システムにとって既知の識別子に対応する場合、サーバＳＥＲＶ１は、レスポンスコードＣＲ１を生成する。レスポンスコードＣＲ１は、例えば、消火栓１０に関する予め保存されたコード、又はアクティブ化コードＣＡ１から生成されたコードである。後者の場合、アクティブ化コードＣＡ１は、レスポンスがチャレンジに応じて生成される、当業者に周知の「チャレンジレスポンス」タイプの認証によって得ることができる。
【００８８】
本方法は、レスポンスコードＣＲ１を端末Ｔ１に送信するステップＴＲＡＮＳ＿ＣＲ１を含む。そして、レスポンスコードＣＲ１は、確認された後、サーバＳＥＲＶ１からデータネットワークＮＥＴを介して端末Ｔ１に自動的に送信される。本方法は、端末Ｔ１がレスポンスコードＣＲ１を受信するステップＲＥＣ＿ＣＲ１を含む。そして、レスポンスコードＣＲ１が、端末Ｔ１のインタフェースに表示される。サーバＳＥＲＶ１と端末Ｔ１とのデータ通信の間、本発明は、異なるデータ通信プロトコルと、異なるデータ符号化技術を用いて実現することができる。
【００８９】
本方法は、装置１がレスポンスコードＣＲ１を取得するステップＡＣＱ＿ＣＲ１を含む。ユーザが端末Ｔ１からレスポンスコードＣＲ１にアクセスすると、装置１のユーザインタフェースを用いて、このレスポンスコードＣＲ１を入力できる。例えば、ユーザインタフェースは、数字等の記号列を入力可能なキーパッド３を含む。画面２が、入力されたコードを表示するため、ユーザは、入力の際に誤りがないか確認できる。レスポンスコードＣＲ１が入力されると、ユーザは、ボタン又はアクチュエータを押すことによって処理を確認する。この場合、入力されたコードが保存される。
【００９０】
本方法は、入力されたコードを確認するステップＶＥＲＩＦ＿ＣＲ１を含む。一例では、装置１は、入力されたレスポンスコードＣＲ１を、装置１に関連付けられたコード及び／又はアクティブ化コードＣＡ１から取得及び保存されたコードを用いて、復号及び確認する。入力されたコードが確認されると、装置１は、電磁弁４３のロックを解除し、及び／又は水量計４１を作動させることができる。
【００９１】
したがって、本発明の方法は、ユーザの識別子を確認し、消火栓の位置を確認することにより、消火栓１０に安全にアクセスすることができる。正しく識別された場所にユーザが居ない場合、又はユーザが、後者の場所に割り当てられた装置以外の装置１を有する場合、水のアクセスサービスは、装置１により、遠隔で確認及び制御され得る。実際、装置１は、コード及びその値が受信された否かに応じて、水へのアクセスが許可するか否か決定できる。
【００９２】
最後に、装置１による水の使用量の制御と、水の使用量を所定のユーザに割り当てることは、リモートエンティティによって自動的に管理することができる。
【００９３】
非アクティブ化処理−消火栓の場合
また、本発明は、消火栓１０へのアクセス等の所定のサービスを非アクティブ化する方法に関する。図４は、本発明の非アクティブ化する方法のステップを実行する一実施形態を示す。
【００９４】
一例では、非アクティブ化ＤＥＳＡＣＴは、装置１の操作によって開始する。非アクティブ化が開始された場合、例えば、サービスの非アクティブ化を希望していないユーザによる不所望の操作について警告するよう、確認要求を設定できる。非アクティブ化は、接触式制御により、又はアクティブ化ボタン及び非アクティブ化ボタン等のアクチュエータの操作によって生成できる。
【００９５】
非アクティブ化を検出すると、装置１は、水の使用量ＣＯＮＳ１を表示する。一実施形態では、これは、ディスプレイ２の最後のアクティブ化から使用された水量である。他のアクティブ化モードでは、装置１がオン又はリセットされてから使用された水量である。したがって、装置１を使用した後、リットル単位で表される水の使用量が水量計のメモリからディスプレイ２に送信される。そして、使用量ＣＯＮＳ１が表示され、このステップは、図４ではＡＦＦ＿ＣＯＮＳ１で示される。さらに又は代替的に、非アクティブ化コード又は使用量コードＣＯＤＥ＿ＣＯＮＳ１がディスプレイ２に表示され、このステップは、ＡＦＦ＿ＣＯＤＥ＿ＣＯＮＳ１で示される。使用量コードＣＯＤＥ＿ＣＯＮＳ１は、使用量ＣＯＮＳ１から生成され、使用量ＣＯＮＳ１が符号化され、リモートエンティティＳＥＲＶ１に送信される。一例では、使用量コードＣＯＤＥ＿ＣＯＮＳ１は、リモートエンティティＳＥＲＶ１と装置１との間で共有される秘密情報から生成できる。別の代替例では、使用量コードＣＯＤＥ＿ＣＯＮＳ１は、使用量ＣＯＮＳ１及び装置１の位置から生成される。別の代替例では、使用量コードＣＯＤＥ＿ＣＯＮＳ１は、使用量ＣＯＮＳ１と同じである。
【００９６】
使用量ＣＯＮＳ１又は使用量コードＣＯＤＥ＿ＣＯＮＳ１（以下、ＣＯＮＳ１と称する）は、端末Ｔ１が取得する。取得するステップは、ＡＣＱ＿ＣＯＮＳ１で表す。一実施形態では、ユーザは、端末Ｔ１のインタフェースを用いて、使用量ＣＯＮＳ１を入力する。端末Ｔ１は、使用量ＣＯＮＳ１をメモリに保存し、この使用量を、データネットワークＮＥＴを介してリモートエンティティＳＥＲＶ１に送信する。図４では、この送信するステップは、ＴＲＡＮＳ＿ＣＯＮＳ１で表す。
【００９７】
そして、非アクティブ化する方法は、サーバＳＥＲＶ１が使用量ＣＯＮＳ１を受信するステップＲＥＣ＿ＣＯＮＳ１を含む。一例では、これは、アクティブ化する方法のサーバと同じサーバである。他の例では、サーバＳＥＲＶ１は、データネットワークＮＥＴに接続された他のデータサーバとすることができる。
【００９８】
そして、使用量ＣＯＮＳ１は、サーバＳＥＲＶ１のメモリに保存される。そして、使用量ＣＯＮＳ１を、例えば、ユーザＩＤに割り当て、特に、当該ユーザの水の使用量に関する請求書又は追跡情報を生成することができる。
【００９９】
本発明の装置１を正しく非アクティブ化するために、本発明の方法は、一実施形態では、サーバＳＥＲＶ１が実行するレスポンスコードＣＲ２を生成するステップＧＥＮ＿ＣＲ２を含み、サーバを非アクティブ化する処理を装置１に認識させる。
【０１００】
装置１において、例えば、ボタン９'を用いて非アクティブ化が開始すると、水量計の読み取りが非アクティブ化される。一実施形態では、装置１において非アクティブ化が始まると、電磁弁ＥＶのロックが作動する。他の実施形態では、これらの動作は、装置１において電磁弁が直接オフにされたときに実行される。
【０１０１】
装置１がレスポンスコードＣＲ２を受信すると、装置１において、この非アクティブ化が確認される。レスポンスコードＣＲ２は、サーバＳＥＲＶ１によって端末に送信される。このレスポンスコードＣＲ２は、タイムスタンプデータやユーザＩＤデータ等の他のデータに付加することができる。
【０１０２】
本方法は、端末Ｔ１が第２のレスポンスコードＣＲ２を受信するステップＲＥＣ＿ＣＲ２を含む。第２のレスポンスコードＣＲ２は保存され、端末Ｔ１のディスプレイに表示される。そして、ユーザは、受信した第２のレスポンスコードＣＲ２を調べることができる。一例では、第２のレスポンスコードＣＲ２は、４桁〜６桁の数字で構成される。別の実施形態では、第２のレスポンスコードＣＲ２は、それよりも短い数字列又は長い数字列を含む。さらに、第２のレスポンスコードＣＲ２は、数字以外の記号を含むこともできる。
【０１０３】
一例では、レスポンスコードＣＲ２は、非アクティブ化コードＣＯＤＥ＿ＣＯＮＳ１の情報から自動的に生成される。
【０１０４】
本方法は、例えば、そのインタフェースを介して、レスポンスコードＣＲ２を受信するステップＡＣＱ＿ＣＲ２を含む。例えば、ユーザは、キーボードを用いてレスポンスコードＣＲ２を入力できる。また、ユーザは、入力された数字を表示する画面を用いて入力を制御できる。
【０１０５】
そして、装置１は、レスポンスコードＣＲ２を確認し、非アクティブ化を開始又は確認するステップＶＥＲＩＦ_ＣＲ２を含む。一実施形態では、装置１が正常に非アクティブ化されると、電磁弁４３が閉じ、水へのアクセスが遮断される。
【０１０６】
一実施形態では、装置１の部品によって実行された全ての処理は、ログブックで参照される。これらの処理は、例えば日付のあるソフトウェアイベントに対応する。さらに、様々なデータは、ログブック内の各イベントに関連付けることができる。このデータのうち、装置１の位置は、イベントが発生したときに保存され、又は保存されたイベントが示すアクティブ化を識別するためのアクティブ化識別子が保存される。アクティブ化識別子は、割り当てられた番号、例えば、昇順に割り当てられる番号に対応することができる。
【０１０７】
このようにして、装置１のアクティブ化サイクル及び非アクティブ化サイクルにおいて、コントロールセンタに配置可能なリモートエンティティＳＥＲＶ１は、装置１が使用されていたときの位置と、装置１から使用された水の量を決定することができる。
【０１０８】
アクティブ化する方法及び非アクティブ化する方法は、装置１の外部の端末Ｔ１によって実行されるため、端末Ｔ１によるステップの実行が装置１のエネルギの消費に与えるエネルギの影響は制限される。
【０１０９】
サービスアクセスシステム
別の態様では、本発明は、図５に示すように、装置１と、端末Ｔ１と、リモートエンティティＳＥＲＶ１と含むシステムに関する。リモートエンティティＳＥＲＶ１は、アクティブ化コードＣＡ１を受信し、レスポンスコードＣＲ１を送信又は受信できる。また、リモートエンティティＳＥＲＶ１は、使用量ＣＯＮＳ１又は使用量コードＣＯＤＥ＿ＣＯＮＳ１を受信し、第２のレスポンスコードＣＲ２を送信できる。
【０１１０】
装置１は、２つの部品を固定する手段によって消火栓１０に物理的に接続される。装置１は、複数の衛星ＳＡＴから位置を受信するＧＰＳ受信機、又は測位信号を受信する無線リンクインタフェースを含む。一実施形態では、装置１と消火栓１０との間に物理的な接続又は無線接続はない。端末Ｔ１は、データネットワークに接続され、また、消火栓１０のアクティブ化を管理するインタフェースとして機能する電子部品及びソフトウェアコンポーネントを備える。また、サーバＳＥＲＶ１もデータネットワークに接続される。一実施形態では、アクセス権を管理する追加のサーバが実装され、所定のユーザがサーバＳＥＲＶ１とデータ交換するのを許可する。
【０１１１】
システムの１つの使用例では、このシステムへの一時的なアクセスを必要とする事象のために、装置１は、自治体、市、又は配水システムを操作する任意のオペレータが使用することができる。別の実施形態では、装置１を作業現場で接続し、又は他の場所で接続することができる。使用時には、装置を消火栓に接続して、作業現場に水を供給できる。装置１がアクティブ化されると、制御センタは、装置１がその作業現場に設置された消火栓に接続されているか確認することにより、装置１が、当該装置のために予約されていないアクセスに、意図的に又は誤って接続されていないことを確認する。
【０１１２】
作業が完了すると、装置１は非アクティブ化される。このとき、システムのオペレータは、装置１の計測した水の使用量が通知され得る。そして、オペレータは、その作業現場に最初に割り当てられた消火栓が、別のユーザに割り当てられ得るか把握するであろう。
【０１１３】
装置１をアクティブ化又は非アクティブ化することにより、１以上の電磁弁を開いて取水することができ、又は、そのような電磁弁が閉じて取水を防ぐことができる。
【０１１４】
電磁弁を作動させるアクティブ化及び非アクティブ化以外にも、本発明の装置１を利用することができる。これにより、装置１の各使用に関連する使用量及び地理的な位置を事後的に追跡及び制御することができる。
【０１１５】
一実施形態では、装置１に有るＱＲコード（登録商標）を端末Ｔ１でスキャンすることができる。ＱＲコード（登録商標）を読み取ることにより、例えば、ユーザを認証可能なリモートサーバからＷＥＢページがロードできる。そして、一例では、端末Ｔ１が接続されるＷＥＢインタフェースの入力フィールドに装置１の識別子が生成される。
【０１１６】
一例では、ユーザは、自身の識別子とパスワードをインタフェースに入力する。次に、ユーザは、例えば、提案されたリストから消火栓１０を選択できる。提案されたリストは、一組の消火栓１０を含む遠隔のデータベースから取得することができる。一例では、消火栓１０のサブセットは、ユーザが定義した地理的な領域、又はユーザの権利に基づいて選択される。一実施形態では、事前にユーザの識別子の確認が行われ、ユーザが有する権利を確認し、特に、ユーザがアクセスする消火栓１０のサブセットを選択する。例示的な一実施形態では、確認は、ユーザの識別子を用いて直接行なわれるのではなく、ユーザの識別子に関連付けられた契約番号を用いて行なわれる。
【０１１７】
一例では、ユーザは、例えば、複数の装置１が利用可能になったときに、リストからアクティブ化させたい装置１の識別子を選択する。そして、このアクティブ化シーケンスの代替的な実施形態では、これらの事前のステップの後、ユーザは、端末のインタフェースにアクティブ化コードを入力し、それをリモートエンティティに送信する。
【０１１８】
この後者の代替例では、リモートエンティティＳＥＲＶ１は、アクティブ化コードＣＡ１を復号し、当該コードに含まれる位置と、ユーザが予め選択した消火栓１０の位置とを比較する。これらの位置が一致する場合、又は誤差の範囲内である場合、サーバＳＥＲＶ１は、レスポンスコードＣＲ１を返却する。
【０１１９】
代替的に、装置１は、装置１の使用中に、一定の間隔で、又は給水が行われなかった長期間の後、その位置を新たなに取得し、その位置が有意に変化していないことを確認してもよい。位置が変化した場合、一実施形態では、装置１は、電磁弁ＥＶを閉じる。
【０１２０】
一実施形態では、算出された装置１の位置の信頼性を高めるために、座標、例えば、ＧＰＳ座標を取得する１以上の処理が考えられる。例示的な実施形態では、位置を取得する４つの処理が連続して実行され、演算装置が、サンプルの逸脱した２つの位置を削除し、逸脱していない２つの位置を保持するように構成される。そして、保持された位置が平均化され、位置の算出の信頼性を高める。
【０１２１】
例示的な一実施形態では、端末Ｔ１が装置１に組み込まれる。この場合、端末Ｔ１は、装置１の部品に相当する。この場合、装置１の識別子及び位置ＰＯＳ１は、リモートエンティティＳＥＲＶ１に自動的に送信され得る。
【０１２２】
この構成では、リモートサーバＳＥＲＶ１は、消火栓１０のリストにおいて、位置ＰＯＳ１の近くに少なくとも１つの消火栓が存在するか確認する。少なくとも１つの消火栓が存在する場合、装置１のロックの解除が許可される。
【０１２３】
装置１は、レスポンスコードによりリモートサーバから許可を得て、電磁弁ＥＶを開く。
【０１２４】
代替的に、本発明の装置１は、規則的に若しくはランダムな間隔で、又は所定の時間を超えて使用されなかった場合、例えば、装置１の位置について同じ確認を行うことができる。
【０１２５】
新しいＰＯＳｉ位置がＰＯＳ１と著しく異なる場合、電磁弁ＥＶが非アクティブ化され、又は、新たな許可を要求するために、リモートエンティティＳＥＲＶ１に問い合わせる。
【０１２６】
リモートサーバＳＥＲＶ１への各接続において、装置１は、使用されたリットル数、すなわち、計測された使用量に関する情報を通信できる。
【０１２７】
非アクティブ化の際、装置１は、電磁弁ＥＶを閉じ、任意でその位置を通知する。また、装置１が使用量を通知することも有益である。
【０１２８】
アクティブ化する方法−自転車の場合
他の実施形態では、本発明の装置１は、自転車に固定された装置１である。自転車は、セルフサービス式の自転車であり、これは、スマートフォンやタブレットにインストールされたモバイルアプリケーションから、又は、特にスマートフォンやタブレットからアクセス可能なＷＥＢポータルを介して、レンタル又は予約ができる。図６は、このような装置１を自転車１１に固定した本発明のシステムを示す。自転車が、数十台、数百台、数千台の場合、各自転車が、本発明の装置１を備える。装置１は、装置１のアクティブ化又は非アクティブ化に応じて動作可能なロックに機能的に関連付けることができる。一実施形態では、装置１は、ロックを動作可能な機械的なインタフェースを備える。別の例では、装置１は、電子部品、無線インタフェース、及び送信されたデジタル命令を介して、遠隔でロックを作動させる。
【０１２９】
装置１は、ハンドル、サドル又は自転車の車輪の近くに配置できる。
【０１３０】
利用者は、サービスのアクティブ化を希望し、換言すると、ロックされた自転車を利用することを希望する。そのために、ユーザは、例えば、装置のアクチュエータを押すことにより、装置１に処理を開始させる。アクティブ化が開始すると、ＧＰＳ受信機、又は、一般的に位置受信機が、位置を取得する。別の実施形態では、取得した自転車の最新の位置が使われる。別の実施形態では、装置１から位置を受信すると、取得された位置が、受信及び保存された最新の位置と比較される。
【０１３１】
装置１は、消火栓１０の実施形態で説明したように、アクティブ化コードＣＡ１を生成する演算装置を備える。装置１は、アクティブ化コードＣＡ１を表示する画面を備える。そして、アクティブ化コードＣＡ１は、端末Ｔ１によってリモートエンティティＳＥＲＶ１に送信される。一実施形態では、自転車に付されたバーコード又はＱＲコード（登録商標）により、パラメータの一部、例えば、自転車の識別子の入力を容易にすることができ、そして、このパラメータは、リモートエンティティＳＥＲＶ１に送信される。例示的な一実施形態では、ユーザは、端末Ｔ１のインタフェースにアクティブ化コードを入力し、それをリモートエンティティに送信する。別の実施形態では、端末Ｔ１と通信する装置１の無線インタフェースが、アクティブ化コードＣＡ１を自動的に送信することができる。無線インタフェースは、Ｂｌｕｅｔｈｏｏｔｈ（登録商標）等のプロトコルで実現することができる。そして、アクティブ化コードＣＡ１は、端末Ｔ１に自動的に受信され、サーバＳＥＲＶ１に再送される。しかしながら、例えば、ハッキングを回避するために装置１へのアクセスを制限することが望まれる場合、又は、装置１による消費が重要であり、サービスが要する電力の制限が求められる場合、このようなリンクは、必ずしも必要ではない。
【０１３２】
同様に、アクティブ化コードが、自転車１１の推定された位置等の少なくとも１つの条件を満たす場合、サーバＳＥＲＶ１は、レスポンスコードＣＲ１を生成する。また、サーバＳＥＲＶ１は、サービスのユーザの識別情報を確認することもできる。この識別情報は、端末Ｔ１がアクティブ化コードＣＡ１と共に送信したユーザの識別子と、ユーザデータベースとを比較することにより、確認することができる。レスポンスコードＣＲ１は、サーバＳＥＲＶ１によって生成され、端末Ｔ１に送信された後、装置１が取得する。そして、装置１は、自動的にロックを解除し、自転車の乗車制限が解かれる。これにより、ユーザは、自転車１１を利用することができる。このロックの解除を実現するために、装置１は、例えば、受信したレスポンスコードＣＲ１を復号する演算装置を備える。復号は、サーバと共有する秘密情報に従って、及び／又はアクティブ化コードＣＡ１に基づいて行うことができる。
【０１３３】
非アクティブ化する方法−自転車の場合
ユーザが、使用後に自転車を、例えば歩道に置いて離れることを希望する場合、サービスは非アクティブ化され、装置１は、自転車の鍵又は南京錠を再びかける。この目的のために、装置１の処理により、非アクティブ化コードを生成することができ、これは、生成されたコード、走行距離、又は本発明の装置１が生成した他の任意のデータとすることができる。このコードは、数字列を含む。このようにして生成された非アクティブ化コードは、リモートサーバＳＥＲＶ１と共有する鍵又は秘密情報を用いて生成でき、サーバＳＥＲＶ１は、装置１によって生成されたコードの有効性を自動的に確認できる。生成されたコードは、装置の新しい位置に関する情報を含むことができる。そして、その位置は、サーバに送信され得る。
【０１３４】
サーバＳＥＲＶ１は、端末Ｔ１を介して非アクティブ化コードを受信すると、第２のレスポンスコードＣＲ２を生成し、データネットワークＮＥＴを介して、端末Ｔ１に送信する。そして、第２のレスポンスコードＣＲ２は装置１によって取得され、自転車の鍵を作動させる。
【０１３５】
本発明は、自転車の使用中に、自転車の運動エネルギの一部を回収してバッテリを充電するために、発電機を備えた装置１によって実現することができる。
【０１３６】
消火栓又は自転車の実施形態では、装置１の位置は、端末Ｔ１の推定された既知の位置を用いて確認することができる。この処理は、端末がアクティブ化コードＣＡ１を受信することにより実行でき、又は、サーバＳＥＲＶ１が端末Ｔ１からアクティブ化コードを受信することにより実行できる。端末Ｔ１の位置は、ＧＳＭ、ＬＴＥ、又は携帯電話サービスを提供する他の端末によって取得できる。他の実施形態では、位置は、ＷＩＦＩネットワークへアクセスすることによって推定できる。他の例では、位置は、例えばＧＰＳシステムのジオロケーションによって取得される。
【０１３７】
自転車と共に装置１を使用する実施形態では、装置１は、使用するために自転車に取り付けられる。従って、装置１は、単一の自転車に固定される。消火栓１０と共に装置１を使用する実施形態では、装置１は、異なる複数の消火栓で使用されることが意図される。従って、装置１が予め消火栓に取り付けられて固定される。そして、アクティブ化コードに含まれる復号された位置により、いずれの消火栓に装置が接続されているか決定される。ユーザの識別子を用いて、いずれの装置１が使用されているか把握することができ、他の実施形態では、各装置１は、ユーザが手動で入力したコード、又はバーコード若しくはＱＲコード（登録商標）によって識別され、ＳＥＲＶ１に送られる。
【０１３８】
本発明の利点の一つは、物体に物理的にのみ接続され、用途に応じて、サービス、消火栓又は自転車へのアクセスを制御する装置１を提供することである。
【０１３９】
また、装置１は、地理的な座標を取得するとき以外、電気ネットワークやデータ通信ネットワークに接続されない。
【０１４０】
他の利点は、本発明の装置１のアクティブ化する方法及び非アクティブ化する方法が、その動作を安全にすることができることである。実際、そのような装置を使用する論理能力のある人によって装置が操作されることを確認する一連の質問及び回答に対して、ユーザが正解した場合にのみ、装置１の電源がオンにされる。このやり取りは、特に安全に取水するために設計され、また、装置１の使用の監視、計測、及び使用量の遠隔通信による課金を容易にするために設計される。また、アクティブ化する方法及び非アクティブ化する方法により、装置１の電力消費を低減することができる。
【図１】
2021528802.tif 000003
【図２】
2021528802.tif 000004
【図３】
2021528802.tif 000005
【図４】
2021528802.tif 000006
【図５】
2021528802.tif 000007
【図６】
2021528802.tif 000008
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
物体（１０，１１）に関連付けられたサービスをアクティブ化する方法であって、
前記物体（１０，１１）にしっかり取り付けられた装置（１）のジオロケーションシステムが、位置（ＰＯＳ１）を取得するステップ（ＲＥＣ＿ＰＯＳ）と、
取得された位置（ＰＯＳ１）に基づいてアクティブ化コード（ＧＥＮ＿ＣＡ１）を算出するステップであって、アクティブ化コード（ＣＡ１）は、前記取得された位置の記号の数を減らすために、地理的な前記位置をデジタル圧縮して符号化された、ステップと、
前記装置（１）のディスプレイ（２）が、前記アクティブ化コードを表示するステップ（ＡＦＦ＿ＣＡ）と、
無線インタフェースを備えた電子携帯端末（Ｔ１）が、データネットワークからリモートエンティティ（ＳＥＲＶ１）にアクティブ化コード（ＣＡ１）を送信するステップと、
前記電子携帯端末（Ｔ１）が、前記リモートエンティティ（ＳＥＲＶ１）によって生成されたレスポンスコード（ＣＲ１）を受信するステップと、
前記装置（１）が、前記レスポンスコード（ＣＲ１）を取得するステップと、
前記装置（１）が、演算装置及びメモリを用いて前記レスポンスコード（ＣＲ１）を復号するステップと、
前記装置（１）にしっかり取り付けられた前記物体（１０，１１）に関連付けられたサービスのロックを解除するコマンドを生成するステップと
を含む、方法。
【請求項２】
前記方法は、取得した前記位置（ＰＯＳ１）を切り捨て、所定の位置決め精度で前記位置（ＰＯＳ１）を近似することによって得られた第２の位置（ＰＯＳ２）を処理するステップを含むことを特徴とする、請求項１に記載の方法。
【請求項３】
アクティブ化コード（ＣＡ１）の算出により、固有の数列が生成され、
前記アクティブ化コード（ＣＡ１）は、ロスレス符号化によって圧縮されることを特徴とする、請求項１又は２に記載の方法。
【請求項４】
データネットワーク（ＮＥＴ）を介してリモートエンティティ（ＳＥＲＶ１）とデータリンクを確立する無線インタフェースを備えた電子携帯端末（Ｔ１）が、ユーザの識別子（ＩＤ１）を送信するステップを含むことを特徴とする、請求項１〜３のいずれか１項に記載の方法。
【請求項５】
前記リモートエンティティ（ＳＥＲＶ１）によって実行される、
前記リモートエンティティ（１）が、演算装置及びメモリを用いて、前記アクティブ化コード（ＣＡ１）を復号するステップと、
復号された位置と、メモリに保存され、それぞれが物体（１０，１１）の識別子に関連付けられた一組の位置とを比較するステップと、
復号された位置から既定の閾値未満の距離にある位置に関連付けられた物体の識別子を選択するステップ、及び／又は、端末インタフェース（Ｔ１）によって選択された物体の識別子が、復号された位置から既定の閾値未満の距離にある位置に関連付けられているか否か確認するステップと、
前記物体の識別子及び／又は前記アクティブ化コード（ＣＡ１）からレスポンスコード（ＣＲ１）を生成するステップと
を含むことを特徴とする、請求項１〜４のいずれか１項に記載の方法。
【請求項６】
前記リモートエンティティ（ＳＥＲＶ１）によって実行される、
受信したユーザの識別子と、メモリに保存された一組の識別子とを比較するステップと、
前記一組の識別子の中に前記ユーザの識別子が存在するか否か確認するステップと、
レスポンスコード（ＣＲ１）を生成するステップを確認するステップと、
を含むことを特徴とする、請求項４又は５に記載の方法。
【請求項７】
装置（１）を前記物体（１０，１１）に固定するステップを含むことを特徴とする、請求項１〜６のいずれか１項に記載の方法。
【請求項８】
サービスが有効である間、位置を取得する処理を、一定の間隔で複数回実行することを特徴とする、請求項１〜７のいずれか１項に記載の方法。
【請求項９】
前記アクティブ化コード（ＣＡ１）は、７と等しい数の記号を含む、請求項１〜８のいずれか１項に記載の方法。
【請求項１０】
前記装置（１）による少なくとも１つのレスポンスコードの取得は、前記装置（１）の入力インタフェースを介して行われることを特徴とする、請求項１〜９のいずれか１項に記載の方法。
【請求項１１】
前記物体（１０）は消火栓であり、
前記装置（１）は、アクセスバルブと、画面（２）と、入力インタフェース（３）とを備えることを特徴とする、請求項１〜１０のいずれか１項に記載の方法。
【請求項１２】
前記ロックを解除するコマンドにより、供給された流量を計測するための水量計の読み取りを開始することを特徴とする、請求項１１に記載の方法。
【請求項１３】
前記ロックを解除するコマンドにより、第１の電磁弁の開閉を開始することを特徴とする、請求項１１又は１２に記載の方法。
【請求項１４】
少なくとも１つのマイクロタービン（４３）が、消火栓（１０）の水流（２２）からエネルギの一部を回収するように構成されることを特徴とする、請求項１０又は１１に記載の方法。
【請求項１５】
前記物体（１１）は自転車であり、
前記装置（１）は、前記自転車にしっかり取り付けられたロックと、画面（２）と、入力インタフェース（３）とを備えることを特徴とする、請求項１〜１０のいずれか１項に記載の方法。
【請求項１６】
消火栓（１０）のアクセス装置（１）であって、
前記アクセス装置（１）を前記消火栓（１０）にしっかり取り付ける留め具と、
取り込まれた水を装置（１）の出口（５）に送る水圧ユニット（４）と、
水の使用量を計測する水量計（４１）と、
前記アクセス装置（１）の位置を伝える信号であって、位置システム又はジオロケーションシステムから出力された信号を取得するインタフェースと、
前記アクセス装置（１）の位置を符号化してアクティブ化コード（ＣＡ１）を生成する演算装置であって、前記アクティブ化コードは、取得した位置の記号の数を減らすために、取得した地理的な位置をデジタル圧縮して符号化された、演算装置と、
前記アクティブ化コード（ＣＡ１）を表示するディスプレイと、
前記アクセス装置の部品に電力を供給する少なくとも１つのバッテリと、
前記消火栓に関連付けられたサービスをアクティブ化し、又はアクティブ化しないために、レスポンスコード（ＣＲ１）を定義するユーザインタフェースと
を備える、アクセス装置。
【請求項１７】
受信したコマンドの値に応じて開閉する第１の電磁弁を少なくとも備えることを特徴とする、請求項１６に記載の消火栓のアクセス装置（１）。
【請求項１８】
自転車（１１）のアクセス装置（１）であって、
前記アクセス装置（１）を前記自転車（１１）にしっかり取り付けるための留め具と、
前記アクセス装置（１）のコマンドによって作動し、前記自転車（１１）の乗車機能を妨げるロックと、
前記アクセス装置（１）の位置を伝える信号であって、位置システム又はジオロケーションシステムから出力された信号を取得するインタフェースと、
前記アクセス装置（１）の位置を符号化してアクティブ化コード（ＣＡ１）を生成する演算装置であって、前記アクティブ化コードは、取得した位置の記号の数を減らすために、取得した地理的な位置をデジタル圧縮して符号化された、演算装置と、
前記アクティブ化コード（ＣＡ１）を表示するディスプレイ（２）と、
前記アクセス装置の部品に電力を供給し、前記自転車の運動エネルギを回収するシステムによって充電される少なくとも１つのバッテリと、
前記自転車（１１）に関連付けられたサービスをアクティブ化し、又はアクティブ化しないために、レスポンスコード（ＣＲ１）を定義するユーザインタフェースと
を備える、アクセス装置。
【請求項１９】
物体（１０，１１）に関連付けられたサービスをアクティブ化する請求項１〜１５のいずれか１項に記載の方法であって、
非アクティブ化コード（ＣＯＤＥ＿ＣＯＮＳ１）を生成する処理を開始するステップと、
装置（１）のディスプレイが、前記非アクティブ化コード（ＣＯＤＥ＿ＣＯＮＳ１）を表示するステップと、
データネットワーク（ＮＥＴ）に接続される無線インタフェースを備えた電子携帯端末（Ｔ１）が、水の使用量（ＣＯＮＳ１）を含む非アクティブ化コードを送信するステップと、
前記電子携帯端末（Ｔ１）が、リモートエンティティ（ＳＥＲＶ１）によって生成された第２のレスポンスコード（ＣＲ２）を受信するステップと、
前記第２のレスポンスコード（ＣＲ２）を取得するステップと、
前記装置（１）が、演算装置及びメモリを用いて前記第２のレスポンスコード（ＣＲ２）を復号するステップと、
前記装置（１）にしっかり取り付けられた前記物体（１０，１１）に関連付けられたサービスをロックするコマンドを生成するステップと、
前記物体（１０，１１）に関連付けられたサービスを非アクティブ化するステップと
を含む、方法。
【請求項２０】
前記装置（１）のディスプレイが、水の使用量を表示するステップ、及び／又は
ロスレス符号化を用いて前記水の使用量を符号化して、前記非アクティブ化コード（ＣＯＤＥ＿ＣＯＮＳ１）を生成するステップ、及び／又は
前記装置（１）の入力インタフェースが、前記第２のレスポンスコード（ＣＲ２）を取得するステップを含む、請求項１９に記載のサービスをアクティブ化する方法。
【請求項２１】
サービスのアクセスシステム（１）であって、
請求項１６〜１８のいずれか１項に記載の装置と、
請求項１〜１０のいずれか１項に記載の方法を実行するように構成された携帯端末（Ｔ１）及びリモートエンティティ（ＳＥＲＶ１）と
を含むことを特徴とする、アクセスシステム。
【国際調査報告】
2021528802.tif 000009
2021528802.tif 000010
2021528802.tif 000011
2021528802.tif 000012
2021528802.tif 000013